(57)【特許請求の範囲】
【請求項１】
入力する加入者データ信号を受信して伝送量の状況を監視し監視情報を出力する伝送量監視手段と、前記監視情報に基づき装置内各部の動作周波数が消費電力を低減できる最適な動作周波数になるようにそれぞれ制御する動作制御手段と、前記加入者データ信号を前記動作制御手段から指示された動作周波数で加入者別に分配する加入者別分配部と、加入者別に分配された各データ信号に対し前記動作制御手段から指示された動作周波数で誤り訂正符号化等の信号処理をそれぞれ行う複数の信号処理部と、信号処理された各データ信号をそれぞれ受け前記動作制御手段から指示された動作周波数で伝送路別（送信先別）に分配する伝送路別分配部と、伝送路別に分配されたデータ信号をそれぞれ受け前記動作制御手段から指示された動作周波数で変調処理を行って伝送路へそれぞれ送信する複数の送信部とを備えることを特徴とする加入者基地局送信装置。
【請求項２】
前記伝送量監視手段は、通信要求する加入者数を監視して加入者数情報を出力する加入者数監視部と、通信要求する加入者毎の伝送量を監視して加入者毎伝送量情報を出力する加入者毎伝送量監視部と、通信要求する加入者毎の伝送量を合計して合計伝送量情報を出力する合計伝送量監視部と、通信要求する加入者の伝送路毎（送信先毎）の伝送量を監視して伝送路毎伝送量情報を出力する伝送路毎伝送量監視部とを有していることを特徴とする請求項１記載の加入者基地局送信装置。
【請求項３】
前記動作制御手段は、前記伝送量監視手段の監視情報に基づき前記複数の信号処理部の負荷状態に応じて加入者毎に信号処理部を割付ける信号処理負荷管理部と、前記伝送量監視手段の監視情報に基づき前記加入者別分配部の動作を制御する加入者別分配動作制御部と、前記伝送量監視手段の監視情報に基づき前記複数の信号処理部の動作をそれぞれ制御する信号処理動作制御部と、前記伝送量監視手段の監視情報に基づき前記伝送路別分配部の動作を制御する伝送路別分配動作制御部と、前記伝送量監視手段の監視情報に基づき前記複数の送信部の動作をそれぞれ制御する送信動作制御部とを有していることを特徴とする請求項２記載の加入者基地局送信装置。
【請求項４】
前記信号処理負荷管理部は、前記伝送量監視手段から出力される加入者数情報、加入者毎伝送量情報および合計伝送量情報に基づき、前記複数の信号処理部の負荷状態に応じて加入者毎に信号処理部を割付け、信号処理部毎伝送量情報、信号処理部毎加入者数情報をそれぞれ生成し出力することを特徴とする請求項３記載の加入者基地局送信装置。
【請求項５】
前記加入者別分配動作制御部は、前記加入者数情報および前記合計伝送量情報に基づき前記加入者別分配部の最適動作周波数を設定し通知することを特徴とする請求項３記載の加入者基地局送信装置。
【請求項６】
前記信号処理動作制御部は、前記信号処理部毎伝送量情報および前記信号処理部毎加入者数情報に基づき前記複数の信号処理部の最適動作周波数をそれぞれ設定し通知すると共に、前記加入者別分配部の各出力インターフェースおよび前記複数の信号処理部の各入力インターフェースの最適動作周波数をそれぞれ設定し通知することを特徴とする請求項４記載の加入者基地局送信装置。
【請求項７】
前記伝送路別分配動作制御部は、前記加入者数情報、前記合計伝送量情報、前記伝送路毎伝送量情報および前記信号処理部毎伝送量情報に基づき前記伝送路別分配部の最適動作周波数を設定し通知することを特徴とする請求項４記載の加入者基地局送信装置。
【請求項８】
前記送信動作制御部は、前記伝送路毎伝送量情報に基づき前記複数の送信部の最適動作周波数をそれぞれ設定し通知すると共に、前記伝送路別分配部の各出力インターフェースおよび前記複数の送信部の各入力インターフェースの最適動作周波数をそれぞれ設定し通知することを特徴とする請求項３記載の加入者基地局送信装置。
【請求項９】
入力する加入者データ信号を加入者別に分配する加入者別分配部と、加入者別に分配された各データ信号に対し誤り訂正符号化等の信号処理をそれぞれ行う複数の信号処理部と、信号処理された各データ信号をそれぞれ受けて伝送路別（送信先別）に分配する伝送路別分配部と、伝送路別に分配されたデータ信号をそれぞれ変調処理して伝送路へそれぞれ送信する複数の送信部とを備える加入者基地局送信装置の制御方法において、前記入力する加入者データ信号に基づき通信要求する加入者数、加入者毎の伝送量、加入者の合計伝送量および伝送路毎（送信先毎）の伝送量をそれぞれ監視し、これら監視結果に基づき装置内各部の動作周波数が消費電力を低減できる最適な動作周波数をそれぞれ設定し制御することを特徴とする加入者基地局送信装置の制御方法。
【請求項１０】
前記加入者数および前記合計伝送量に基づき前記加入者別分配部の最適動作周波数を設定することを特徴とする請求項９記載の加入者基地局送信装置の制御方法。
【請求項１１】
前記加入者数、加入者毎伝送量および合計伝送量に基づき、前記複数の信号処理部の負荷状態に応じて加入者毎に信号処理部を割付けを行い、信号処理部毎伝送量および信号処理部毎加入者数をそれぞれ監視し、前記信号処理部毎伝送量および前記信号処理部毎加入者数に基づき前記複数の信号処理部の最適動作周波数をそれぞれ設定すると共に、前記加入者別分配部の各出力インターフェースおよび前記複数の信号処理部の各入力インターフェースの最適動作周波数をそれぞれ設定することを特徴とする請求項９記載の加入者基地局送信装置の制御方法。
【請求項１２】
前記加入者数、前記合計伝送量、前記伝送路毎伝送量情および前記信号処理部毎伝送量に基づき前記伝送路別分配部の最適動作周波数を設定することを特徴とする請求項１１記載の加入者基地局送信装置の制御方法。
【請求項１３】
前記伝送路毎伝送量に基づき前記複数の送信部の最適動作周波数をそれぞれ設定すると共に、前記伝送路別分配部の各出力インターフェースおよび前記複数の送信部の各入力インターフェースの最適動作周波数をそれぞれ設定することを特徴とする請求項９記載の加入者基地局送信装置の制御方法。
【発明の詳細な説明】
【０００１】
【発明の属する技術分野】
本発明は加入者基地局送信装置およびその制御方法に関し、特に加入者基地局送信装置の消費電力の低減化手段に関する。
【０００２】
【従来の技術】
携帯電話機の基地局やディジタル多重加入者無線装置の基地局、あるいは有線加入者収容基地局等の加入者の通信を束ねる加入者基地局の送信装置においては、加入者からの通信要求時にのみ、その加入者からの通信信号を伝送路に向けて送出するという機能を有している。
【０００３】
また加入者基地局の送信装置は、その装置が処理可能な最大加入者数もしくは最大伝送量、最大伝送路数および各伝送路当たりの最大伝送量が決まっている。そして、送信装置は、最大加入者数もしくは最大伝送量を処理可能な高い動作周波数で常時動作している。
【０００４】
図４は、従来の加入者基地局送信装置の一例を示すブロック図である。
【０００５】
加入者からのデータ信号Ｄｉを受信して加入者別に分配する加入者別分配部７と、加入者別に分配された各データ信号に対して誤り訂正符号化等の信号処理をそれぞれ施す複数(ｎ)の信号処理部８−１，８−２，……，８−ｎと、信号処理された各データ信号をそれぞれ受けて伝送路別（送信先別）に分配する伝送路別分配部９と、伝送路別に分配されたデータ信号に変調処理を行って複数（ｍ）の伝送路へそれぞれ送信する複数（ｍ）の送信部１０−１，１０−２，……，１０−ｍとを備えている。
【０００６】
また、加入者別分配部７の各出力端、複数(ｎ)の信号処理部８−１，８−２，……，８−ｎの各入力端および各出力端、伝送路別分配部９の各入力端および各出力端、並びに複数（ｍ）の送信部１０−１，１０−２，……，１０−ｍの各入力端には、出力インターフェース（ＯＵＴ）および入力インターフェース（ＩＮ）がそれぞれ設けられており、各部間のデータ伝送処理を行っている。そして、常時、最大加入者数もしくは最大伝送量を処理可能な高い動作周波数でそれぞれ動作している。
【０００７】
【発明が解決しようとする課題】
上述したように従来の加入者基地局送信装置では、通信要求した加入者数が装置の扱える最大加入者数よりも少なくても、通信要求した加入者の合計伝送量が装置の扱える最大伝送量よりも少なくても、また、少なくとも一つの伝送路の伝送量が最大伝送容量よりも少ないときであっても、装置内の各部は常に最大加入者数もしくは最大伝送量を処理可能な高い動作周波数で動作している。
【０００８】
しかし、装置の動作周波数が高くなるにつれて消費電力が増大するので、常時最大加入者数もしくは最大伝送量を処理できる高い動作周波数で動作することは、消費電力に無駄が生じていることになる。
【０００９】
本発明の目的は、通信要求した加入者からのデータ信号の伝送量に応じて送信装置の各部の動作周波数をきめ細かく制御することにより、送信装置の消費電力を低減することができる加入者基地局送信装置およびその制御方法を提供することにある。
【００１０】
【課題を解決するための手段】
本発明の加入者基地局送信装置は、入力する加入者データ信号を受信して伝送量の状況を監視し監視情報を出力する伝送量監視手段と、前記監視情報に基づき装置内各部の動作周波数が消費電力を低減できる最適な動作周波数になるようにそれぞれ制御する動作制御手段と、前記加入者データ信号を前記動作制御手段から指示された動作周波数で加入者別に分配する加入者別分配部と、加入者別に分配された各データ信号に対し前記動作制御手段から指示された動作周波数で誤り訂正符号化等の信号処理をそれぞれ行う複数の信号処理部と、信号処理された各データ信号をそれぞれ受け前記動作制御手段から指示された動作周波数で伝送路別（送信先別）に分配する伝送路別分配部と、伝送路別に分配されたデータ信号をそれぞれ受け前記動作制御手段から指示された動作周波数で変調処理を行って伝送路へそれぞれ送信する複数の送信部とを備える。
【００１１】
前記伝送量監視手段は、通信要求する加入者数を監視して加入者数情報を出力する加入者数監視部と、通信要求する加入者毎の伝送量を監視して加入者毎伝送量情報を出力する加入者毎伝送量監視部と、通信要求する加入者毎の伝送量を合計して合計伝送量情報を出力する合計伝送量監視部と、通信要求する加入者の伝送路毎（送信先毎）の伝送量を監視して伝送路毎伝送量情報を出力する伝送路毎伝送量監視部とを有している。
【００１２】
また、前記動作制御手段は、前記伝送量監視手段の監視情報に基づき前記複数の信号処理部の負荷状態に応じて加入者毎に信号処理部を割付ける信号処理負荷管理部と、前記伝送量監視手段の監視情報に基づき前記加入者別分配部の動作を制御する加入者別分配動作制御部と、前記伝送量監視手段の監視情報に基づき前記複数の信号処理部の動作をそれぞれ制御する信号処理動作制御部と、前記伝送量監視手段の監視情報に基づき前記伝送路別分配部の動作を制御する伝送路別分配動作制御部と、前記伝送量監視手段の監視情報に基づき前記複数の送信部の動作をそれぞれ制御する送信動作制御部とを有している。
【００１３】
上記構成において、前記信号処理負荷管理部は、前記伝送量監視手段から出力される加入者数情報、加入者毎伝送量情報および合計伝送量情報に基づき、前記複数の信号処理部の負荷状態に応じて加入者毎に信号処理部を割付け、信号処理部毎伝送量情報、信号処理部毎加入者数情報をそれぞれ生成し出力する。
【００１４】
また、前記加入者別分配動作制御部は、前記加入者数情報および前記合計伝送量情報に基づき前記加入者別分配部の最適動作周波数を設定し通知する。
【００１５】
更に、前記信号処理動作制御部は、前記信号処理部毎伝送量情報および前記信号処理部毎加入者数情報に基づき前記複数の信号処理部の最適動作周波数をそれぞれ設定し通知すると共に、前記加入者別分配部の各出力インターフェースおよび前記複数の信号処理部の各入力インターフェースの最適動作周波数をそれぞれ設定し通知する。
【００１６】
また更に、前記伝送路別分配動作制御部は、前記加入者数情報、前記合計伝送量情報、前記伝送路毎伝送量情報および前記信号処理部毎伝送量情報に基づき前記伝送路別分配部の最適動作周波数を設定して通知し、前記送信動作制御部は、前記伝送路毎伝送量情報に基づき前記複数の送信部の最適動作周波数をそれぞれ設定し通知すると共に、前記伝送路別分配部の各出力インターフェースおよび前記複数の送信部の各入力インターフェースの最適動作周波数をそれぞれ設定し通知する。
【００１７】
本発明の加入者基地局送信装置の制御方法は、入力する加入者データ信号を加入者別に分配する加入者別分配部と、加入者別に分配された各データ信号に対し誤り訂正符号化等の信号処理をそれぞれ行う複数の信号処理部と、信号処理された各データ信号をそれぞれ受けて伝送路別（送信先別）に分配する伝送路別分配部と、伝送路別に分配されたデータ信号をそれぞれ変調処理して伝送路へそれぞれ送信する複数の送信部とを備える加入者基地局送信装置の制御方法において、前記入力する加入者データ信号に基づき通信要求する加入者数、加入者毎の伝送量、加入者の合計伝送量および伝送路毎（送信先毎）の伝送量をそれぞれ監視し、これら監視結果に基づき装置内各部の動作周波数が消費電力を低減できる最適な動作周波数をそれぞれ設定し制御する。
【００１８】
また、前記加入者数および前記合計伝送量に基づき前記加入者別分配部の最適動作周波数を設定すると共に、前記加入者数、加入者毎伝送量および合計伝送量に基づき、前記複数の信号処理部の負荷状態に応じて加入者毎に信号処理部を割付けを行い、信号処理部毎伝送量および信号処理部毎加入者数をそれぞれ監視し、前記信号処理部毎伝送量および前記信号処理部毎加入者数に基づき前記複数の信号処理部の最適動作周波数をそれぞれ設定すると共に、前記加入者別分配部の各出力インターフェースおよび前記複数の信号処理部の各入力インターフェースの最適動作周波数をそれぞれ設定する。
【００１９】
更に、前記加入者数、前記合計伝送量、前記伝送路毎伝送量情および前記信号処理部毎伝送量に基づき前記伝送路別分配部の最適動作周波数を設定する。また更に、前記伝送路毎伝送量に基づき前記複数の送信部の最適動作周波数をそれぞれ設定すると共に、前記伝送路別分配部の各出力インターフェースおよび前記複数の送信部の各入力インターフェースの最適動作周波数をそれぞれ設定する。
【００２０】
【発明の実施の形態】
次に本発明について図面を参照して説明する。
【００２１】
図１は本発明の一実施形態を示すブロック図であり、入力データ信号Ｄｉを受けて伝送量の状況を監視して監視情報Ａを出力する伝送量監視手段１と、伝送量監視手段１から出力される監視情報Ａに基づき装置内各部の動作周波数を制御する動作制御手段２と、動作制御手段２から指示された動作周波数で入力データ信号を加入者別に分配する加入者別分配部３と、加入者別に分配された各データ信号に対し動作制御手段２から指示された動作周波数で誤り訂正符号化等の信号処理をそれぞれ行う複数(ｎ)の信号処理部４−１，４−２，……，４−ｎと、信号処理された各データ信号をそれぞれ受け動作制御手段２から指示された動作周波数で伝送路別（送信先別）に分配する伝送路別分配部５と、伝送路別に分配されたデータ信号をそれぞれ受け動作制御手段２から指示された動作周波数で所定の変調処理等を行って伝送路へそれぞれ送信する複数（ｍ）の送信部６−１，６−２，……，６−ｍとを備えている。
【００２２】
また、加入者別分配部３の各出力端、複数(ｎ)の信号処理部４−１，４−２，……，４−ｎの各入力端および各出力端、伝送路別分配部５の各入力端および各出力端、並びに複数（ｍ）の送信部６−１，６−２，……，６−ｍの各入力端には、出力インターフェース（ＯＵＴ）および入力インターフェース（ＩＮ）がそれぞれ設けられており、各部間のデータ伝送処理を行っている。
【００２３】
伝送量監視手段１は、入力データ信号Ｄｉの各加入者のデータ信号に付加されている情報、すなわち加入者ＩＤやデータの送信先、単位時間当りの伝送量等の情報に基づき、加入者の通信要求するデータ伝送量の時々刻々変化する状況を監視して、その監視情報を動作制御手段２へ出力する。
【００２４】
伝送量監視手段１は、図２に示すように、通信要求する加入者数を監視して加入者数情報Ａ１を出力する加入者数監視部１１と、通信要求する加入者毎の伝送量を監視して加入者毎伝送量情報Ａ２を出力する加入者毎伝送量監視部１２と、通信要求する加入者毎の伝送量を合計して合計伝送量情報Ａ３を出力する合計伝送量監視部１３と、通信要求する加入者の伝送路毎（送信先毎）の伝送量を監視して伝送路毎伝送量情報Ａ４を出力する伝送路毎伝送量監視部１４とを有している。
【００２５】
動作制御手段２は、伝送量監視手段１の監視情報Ａ１，Ａ２，Ａ３，Ａ４に基づき、装置内各部の消費電力を低減できる最適な動作周波数をそれぞれ設定する。すなわち、各部の動作周波数が最大伝送量時の動作周波数よりも低くなるように設定する。
【００２６】
動作制御手段２は、図３に示すように、各信号処理部４の負荷状態に応じて各加入者毎に信号処理部４を割付ける信号処理負荷管理部２１と、加入者別分配部３の動作を制御する加入者別分配動作制御部２２と、複数(ｎ)の信号処理部４−１，４−２，……，４−ｎの動作をそれぞれ制御する信号処理動作制御部２３と、伝送路別分配部５の動作を制御する伝送路別分配動作制御部２４と、複数（ｍ）の送信部６−１，６−２，……，６−ｍの動作をそれぞれ制御する送信動作制御部２５とを有している。
【００２７】
信号処理負荷管理部２１は、加入者数情報Ａ１、加入者毎伝送量情報Ａ２および合計伝送量情報Ａ３に基づき、複数(ｎ)の各信号処理部４の負荷状態に応じて各加入者毎に信号処理部を割付け、信号処理部毎伝送量情報Ａ５、信号処理部毎加入者数情報Ａ６、信号処理部割付情報Ａ７をそれぞれ生成し出力する。
【００２８】
ここで、各信号処理部の処理可能な最大加入者数もしくは最大伝送量が決まっているので、ある加入者のデータ伝送量が割付けた信号処理部の処理能力を超える場合には、負荷の軽い他の信号処理部を割付ける。そして、信号処理部毎伝送量情報Ａ５、信号処理部毎加入者数情報Ａ６、信号処理部割付情報Ａ７を生成する。
【００２９】
信号処理部割付情報Ａ７は、加入者別分配部３へ通知され、加入者別分配部３はこの情報Ａ７に基づき分配処理を実行する。
【００３０】
加入者別分配動作制御部２２は、加入者数情報Ａ１および合計伝送量情報Ａ３に基づき、加入者別分配部３の動作周波数を決定し、加入者別分配部動作周波数情報Ｃ３を加入者別分配部３へ送出する。
【００３１】
ここで、加入者別分配部３がデータ信号を加入者別に分配処理するための動作周波数は、加入者数が最大加入者数よりも減少すれば低く設定され、合計伝送量が最大伝送量よりも減少すれば低く設定される。なお、装置が扱える最大加入者数もしくは最大伝送量を処理するときは、従来例の加入者別分配部７が動作していた最大動作周波数に設定される。
【００３２】
なお、加入者別分配部３の最適動作周波数の設定に際し、加入者数および合計伝送量に応じて予め設定してメモリに記憶させておき、このメモリから読み出して設定するようにしてよいし、最適動作周波数と加入者数および合計伝送量との関係を示す式を予め定めておき、この関係式に基づき算出して設定するようにしてもよい。
【００３３】
信号処理動作制御部２３は、信号処理部毎伝送量情報Ａ５および信号処理部毎加入者数情報Ａ６に基づき、各信号処理部４−１，４−２，……，４−ｎがそれぞれ信号処理を行うのに最適な動作周波数を設定し、信号処理部動作周波数情報Ｃ４１，Ｃ４２，……，Ｃ４ｎとしてそれぞれ送出する。
【００３４】
ここで、各信号処理部４がそれぞれ信号処理するための動作周波数は、信号処理部毎伝送量が増えるにつれ高く設定され、信号処理部毎加入者数が多くなるにつれ高く設定される。また、信号処理部毎伝送量が減少すれば低く設定される、信号処理部毎加入者数が減少すれば低く設定される。信号処理部４が処理できる最大伝送量もしくは最大加入者数になるときは、従来例の信号処理部８が動作していた最大動作周波数が設定される。
【００３５】
各信号処理部４−１，４−２，……，４−ｎは、信号処理部毎伝送量および信号処理部毎加入者数に応じたそれぞれ設定された動作周波数で動作することになる。
【００３６】
各信号処理部４の最適な動作周波数は、信号処理部毎伝送量および信号処理部毎加入者数に応じて予め設定してメモリに記憶させておき、このメモリから読み出して設定するようにしてよいし、最適動作周波数と信号処理部毎伝送量および信号処理部毎加入者数との関係を示す式を予め定めておき、この関係式に基づき算出して設定するようにしてもよい。
【００３７】
また、信号処理動作制御部２３は、信号処理部毎伝送量情報Ａ５に基づき、加入者別分配部３の各第１の出力インターフェース（ＯＵＴ）および複数の信号処理部４−１，４−２，……，４−ｎの各第１の入力インターフェース（ＩＮ）に対して、各インターフェース間での伝送処理に必要な動作周波数をそれぞれ設定し、第１のインターフェース動作周波数情報ＣＩ１１，ＣＩ１２，……，ＣＩ１ｎとしてそれぞれ送出する。
【００３８】
更に、信号処理動作制御部２３は、信号処理部毎伝送量情報Ａ５に基づき、複数の信号処理部４−１，４−２，……，４−ｎの各第２の出力インターフェース（ＯＵＴ）および伝送路別分配部５の各第２の入力インターフェース（ＩＮ）に対して、各インターフェース間での伝送処理に必要な動作周波数をそれぞれ設定し、第２のインターフェース動作周波数情報ＣＩ２１，ＣＩ２２，……，ＣＩ２ｎとしてそれぞれ送出する。
【００３９】
ここで、各第１および第２のインターフェース間でのデータ伝送処理のための動作周波数は、該当する信号処理部の伝送量が増えるにつれ高く設定され、減少するにつれて低く設定される。また、信号処理部４が処理可能な最大伝送量もしくは加入者数を処理しているときは、従来の最大動作周波数に設定される。
【００４０】
伝送路別分配動作制御部２４は、加入者数情報Ａ１、合計伝送量情報Ａ３、伝送路毎伝送量情報Ａ４、および信号処理部毎伝送量情報Ａ５に基づき、伝送路別分配部５の最適動作周波数を設定し、伝送路別分配部動作周波数情報Ｃ５として伝送路別分配部５へ送出する。
【００４１】
ここで、伝送路別分配部５が複数の信号処理部４−１，４−２，……，４−ｎにより信号処理されたデータ信号を受けて伝送路毎（送信先毎）に分配するための動作周波数は、加入者数が多くなるにつれ高く設定され、加入者数が減少すれば低く設定される。また、合計伝送量が増えるにつれ高く設定され、合計伝送量が減少すれば低く設定される。更に、信号処理部毎の伝送量が増えるにつれ高く設定され、信号処理部毎の伝送量が減少すれば低く設定される。また更に、伝送路毎の伝送量が増えるにつれ高く設定され、伝送路毎の伝送量が減少すれば低く設定される。
【００４２】
なお、装置が扱える最大加入者数もしくは最大伝送量を処理し、各伝送路の伝送量が最大値を示し、かつ、各信号処理部が最大伝送量を処理するときは、従来例の伝送路別分配部９が動作する最大動作周波数が設定される。
【００４３】
また、伝送路別分配部５の最適動作周波数の設定に際し、加入者数、合計伝送量、伝送路毎伝送量および信号処理部毎伝送量に応じて予め設定してメモリに記憶させておき、このメモリから読み出して設定するようにしてよいし、最適動作周波数と加入者数、合計伝送量、伝送路毎伝送量および信号処理部毎伝送量との関係を示す式を予め定めておき、この関係式に基づき算出して設定するようにしてもよい。
【００４４】
送信動作制御部２５は、伝送路毎伝送量情報Ａ４に基づき、複数の送信部６−１，６−２，……，６−ｍの最適動作周波数をそれぞれ設定し、送信部動作周波数情報Ｃ６１，Ｃ６２，……，Ｃ６ｍとしてそれぞれ送出する。
【００４５】
ここで、各送信部４がデータ信号をそれぞれ変調処理するための動作周波数は、伝送路毎伝送量が増えるにつれ高く設定され、伝送路毎伝送量が減少すれば低く設定される。各送信部４が扱える最大伝送量を処理するときは、従来例の送信部１０が動作していた最大動作周波数が設定される。
【００４６】
送信部６−１，６−２，……，６−ｍは、伝送路毎伝送量に応じてそれぞれ設定された動作周波数でデータ信号の変調処理を行う。
【００４７】
また、送信動作制御部２５は、伝送路毎伝送量情報Ａ４に基づき、伝送路別分配部５の各第３の出力インターフェース（ＯＵＴ）および複数の信送信部６−１，６−２，……，６−ｍの各第３の入力インターフェース（ＩＮ）に対して、各インターフェース間での伝送処理に必要な動作周波数をそれぞれ設定し、第３のインターフェース動作周波数情報ＣＩ３１，ＣＩ３２，……，ＣＩ３ｍとしてそれぞれ送出する。
【００４８】
ここで、インターフェース間でのデータ伝送処理のための動作周波数は、該当する送信部の伝送量が増えるにつれ高く設定され、減少するにつれて低く設定される。また、送信部４が処理可能な最大伝送量を処理しているときは、従来の送信部１０が動作する最大動作周波数に設定される。
【００４９】
【発明の効果】
以上説明したように本発明によれば、加入者データを受信して加入者別に分配する加入者別分配部と、加入者別に分配されたデータ信号に誤リ訂正処理等の信号処理を施す複数の信号処理部と、信号処理されたデータ信号を伝送路別に分配する伝送路別分配部と、伝送路別に分配されたデータ信号を変調処理し送信信号として伝送路別に送信する複数の送信部とを備える加入者基地局送信装置において、入力する加入者データの伝送量を監視し、監視結果に基づき各部の動作周波数が消費電力を低減できる最適な動作周波数をそれぞれ設定し制御することにより、送信装置の消費電力を従来よりも低減できる。
【図面の簡単な説明】
【図１】本発明の一実施形態を示すブロック図である。
【図２】図１に示した伝送量監視手段１を示す図である。
【図３】図１に示した動作制御手段２を示す図である。
【図４】従来の加入者基地局送信装置の一例を示すブロック図である。
【符号の説明】
１    伝送量監視手段
２    動作制御手段
３    加入者別分配部
４    信号処理部
５    伝送路別分配部
６    送信部
１１    加入者数監視部
１２    加入者毎伝送量監視部
１３    合計伝送量監視部
１４    伝送路毎伝送量監視部
２１    信号処理負荷管理部
２２    加入者別分配動作制御部
２３    信号処理動作制御部
２４    伝送路別分配動作制御部
２５    送信動作制御部
【図１】
0003918575.tif 000002
【図２】
0003918575.tif 000003
【図３】
0003918575.tif 000004
【図４】
0003918575.tif 000005